(57)【要約】【課題】悪臭の発生する洋服、下着、靴などに、吸臭、及び吸湿の能力が高いため乾燥した表面状態を維持できる無機吸湿材料からなる洋服掛けハンガー、及び靴入れ下敷きで、しかも良好な衛生状態を維持しうる吸湿・吸臭用無機質平板家庭用具を提供する。【解決手段】洋服掛けハンガー、及び靴入れ下敷きに適応した吸臭・吸湿形状体で、厚さ４〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された平板で、長さ１００〜７００ｍｍにおいて、洋服掛けハンガー形状、および靴入れ下敷き形状の平板加工体にして、表面積として、２００〜１５００ｃｍ２になっている吸湿・吸臭用無機質平板家庭用具である。【選択図】図１
0003212446.tif 000002
【実用新案登録請求の範囲】
【請求項１】
洋服掛けハンガー、及び靴入れ下敷きに適応した吸臭・吸湿形状体で、厚さ４〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された長さ１００〜５００ｍｍ平板において、洋服掛けハンガー形状、および靴入れ下敷き形状の平板加工体にして、表面積として、２００〜１５００ｃｍ２になっていることを特徴とする吸湿・吸臭用無機質平板家庭用具。
【請求項２】
洋服掛けハンガーに適応した吸臭・吸湿形状体は、厚さ６〜９ｍｍの厚さの平板を、長さ幅３００〜６００ｍｍ、高さ幅５０〜１５０ｍｍにして、中心位置にフック掛け金属線を挿入できる２〜５ｍｍの穴部を設け、吸臭・吸湿性の洋服掛けハンガーの形状にしている平板加工体の表面積を、３００〜１５００ｃｍ２になって、重量として１．５ｋｇ以下にしていることを特徴とする請求項１に記載の吸湿・吸臭用無機質平板家庭用具。
【請求項３】
靴入れ下敷きに適応した吸臭・吸湿形状体は、厚さ４〜９ｍｍで、数種類の形状にして長さ１００〜２５０ｍｍ、幅５０〜７０ｍｍに入り、靴入れ下敷き形状に表面積として、２００〜３５０ｃｍ２であって、長さ方向の先端に紐を取り付けることができる貫通穴部を設けて、表面の一面或いは両面に装飾的彫り込み模様を設けていることを特徴とする請求項１に記載の吸湿・吸臭用無機質平板家庭用具。
【考案の詳細な説明】
【技術分野】
【０００１】本考案は、臭い発生周り、及びキッチン周り、及び水周りにおいて長時間使用されても、吸臭、及び吸湿の能力が高いため乾燥した表面状態を維持できる無機吸湿材料を持っている吸湿・吸臭用無機質平板家庭用具に関する。
【背景技術】
【０００２】下駄箱の収納部、あるいは脱衣室の浴室出口付近、洗面所、トイレ、台所などの床面は、水の飛散により濡れ易くそして湿気を帯びるため、感触が劣化するとともに特に高温多湿な梅雨期などではカビ、雑菌の発生が誘発され衛生状態の低下を招く恐れがある。吸湿性が高い無機質材料が期待される。【０００３】下駄箱の収納部、臭気物を捨てる際、内部臭気の漏れがなく、又、不快な内部の収納物が視界に入らず、特に、閉じられた空間に設置されている場合においては、空間に臭気が充満することがなくなり、きわめて有効である臭気物用のダストボックスとして、所要の容積を持ち、上部に開口部を設けた収納部と、開口部より連続する、所要の容積を持つ受取部の、二層から成り、開口部の一部に、外部より開閉自在となる内部開閉部を設け、受取部の外部に接する面の一部に、開閉自在となる外部開閉部を設け、受取部の一部に、脱臭装置を取り付けているものが提案されている（特許文献１参照）。【０００４】一定の長さにカットした円筒型の備長炭１を立てた状態で収納ボックスに収納し、上から蓋３で固定することにより備長炭の安定性を高めると同時に、長方形のボックスが基本ユニットになるために、単体での使用はもとより、マット状に並べて敷くことも可能となる。また、収納ボックスに設けた空気穴により、備長炭の調湿作用や消臭・除菌作用を効果的に機能させることが可能となるものが提案されている（特許文献２参照）。【０００５】吸放湿性を有する木製の脱臭剤収納容器内に粒状化した木炭を脱臭剤として収納し、脱臭剤収納容器で余分な湿気を除去して木炭への水分の吸着を減らすことにより、長期間木炭の吸着力を保ち、粒状化して表面積を増大させた木炭で収納空間雰囲気中の臭気成分を確実に吸着させて脱臭を行えることとなり、脱臭能力を長期にわたり維持できる。また、脱臭剤収納容器が木製であることにより、収納棚等の木肌が現れている内部に置いても違和感がなく、周囲に溶け込ませてデザイン的な統一感も得られる容器が提案されている（特許文献３参照）。【０００６】鉱物系材料の一つとしてバーミキュライトがある。このバーミキュライト（ヒル石）は、黒雲母に類似した粘土鉱物であり、高温で脱水により層に垂直の方向に著しく膨張して、ヒルのように伸び多孔体となる。このため、断熱性、吸音性に優れるので、基材への配合材（充填材、増量材）、さらには基材として断熱材、吸音材をはじめとする各種建材に、その軽量化の目的と併せて用いられることが多い。一方、バーミキュライトは吸湿能力があまり高くないため、調湿材としてはまったく顧みられていない（特許文献４参照）。【０００７】石膏、ケイ酸カルシウム、セメント、スラグ石膏もしくは塩基性炭酸マグネシウムの一種以上から選択される親水性基材を含む建材組成物を成形して得られる建材を表面焼付け処理してなる化粧建材の提案がある（特許文献５参照）。
しかし無機材料であって、吸湿性が高く、足さわりが良い足拭きマットは存在していない。
【先行技術文献】
【特許文献】
【０００８】
【特許文献１】実開平６−８３６０１号公報
【特許文献２】実用新案登録第３０７７５４６号公報
【特許文献３】実用新案登録第３０５０９１０号公報
【特許文献４】特開２００２−２８５０３７号公報
【特許文献５】特開２００３−１４６７７５号公報
【考案の概要】
【考案が解決しようとする課題】
【０００９】前記のように、一般の住宅では、下駄箱などの臭い発生周り、及びキッチン周り、及びトイレなどの水周りにおいて長時間使用されて、湿気、臭いを充分に吸湿、吸臭できていない。一方個人的に靴の中には悪臭、湿気を持っており、また運動した後の汗などで洋服、下着にも悪臭をするとともに、さらに下着の洗濯で、早期に交わさせること、或いはスポーツジム、或はゴルフクラブなどでスポーツをした後の汗かき濡れた洋服、下着の臭いを取り、汗を乾かせることが必要になってくる。一般に通常のハッガーにはその作用を持っていない。また通常長時間履いた靴については、臭い、汗で悪臭を発生する。臭い取りをその洋服、下着、靴が常に乾いた状態を維持して、発生する臭い、湿気を取り除き、吸湿・吸臭用無機質平板の家庭用具にすることができない状態である。【００１０】また洋服掛けハンガー、及び靴入れ下敷きに適応した吸臭・吸湿形状体で、厚さ６〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された平板で、前記吸臭・吸湿性を備えた無機質用具において、下駄箱、部屋が臭いを発生して、或いはスポーツ関係の部屋の内部の湿気、臭いが充満して、しかもカビ、雑菌などの発生の恐れもあり衛生状態を継続できないという問題がある。【００１０】本考案は、バーミキュライトとセメント、ケイ酸カルシウムを含む調湿材平板から製作された、かつ平面矩形状に形成された高吸湿・吸臭性板を用いた箱状容器を基本とし、下駄箱、キッチン周り、及び水周り、及び臭い発生周りにおいて長時間使用されても、吸湿・吸臭の能力が高いため乾燥した表面状態を維持できて、部屋内が常に快適な感触が得られ、しかも良好な衛生状態を維持しうる吸湿・吸臭用無機質平板家庭用具の提供を課題としている。【００１１】天然資源としてのケイ酸カルシウム、バーミキュライトのさらなる有効利用を図り、調湿および／または消臭、さらには美観の要請をも満たし得る、特に吸放湿の量および速度においてバランスに優れた建材を見出すべく、洋服掛けハンガー、及び靴入れ下敷きに適応した吸臭・吸湿形状体で種々検討を行った。
【課題を解決するための手段】
【００１３】洋服掛けハンガー、及び靴入れ下敷きに適応した吸臭・吸湿形状体で、厚さ４〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された平板で、長さ１００〜７００ｍｍにおいて、洋服掛けハンガー形状、および靴入れ下敷き形状の平板加工体にして、表面積として、２００〜１５００ｃｍ２になっている吸湿・吸臭用無機質平板家庭用具である。【００１４】洋服掛けハンガーに適応した吸臭・吸湿形状体は、厚さ６〜９ｍｍの厚さの平板を、長さ幅３００〜６００ｍｍ、高さ幅５０〜１５０ｍｍにして、中心位置にフック掛け金属線を挿入できる２〜５ｍｍの貫通穴部を設け、吸臭・吸湿性の洋服掛けハンガーの形状にしている平板加工体の表面積を、３００〜１５００ｃｍ２になって、重量として１．５ｋｇ以下にしている。【００１５】靴入れ下敷きに適応した吸臭・吸湿形状体は、厚さ４〜９ｍｍで、数種類の形状にして長さ１００〜２５０ｍｍ、幅５０〜７０ｍｍに入り、靴入れ下敷き形状に表面積として、２００〜３５０ｃｍ２であって、長さ方向の先端に紐を取り付けることができる貫通穴部を設けて、表面の一面或いは両面に装飾的彫り込み模様を設けている。また同様なコースターにも使用できる。【００１６】無機性高吸湿・吸臭性材料は、色彩としてクリーム、メーブル、バーチ、オーク、ウオールナット、シーダー、レッドウッド、マホガニー、グリーンから選ばれたものであっている。バーミキュライトとセメント成分、ケイ酸カルシウム、スラグ石膏の一種以上から選択される基材を用いた調湿材を含む高吸水性平板を具えるため、表面の乾燥状態を維持できる。少なくともバーミキュライトをセメント、ケイ酸カルシウム、スラグ石膏の一種以上から選択される基材を用いた調湿材を含む高吸水性タイルを具えるため、表面の乾燥状態を維持できる。平板表面に彫り込みを設けて、装飾性を向上させることができる。【００１７】バーミキュライトをセメント、ケイ酸カルシウム、スラグ石膏の一種以上から選択される基材とは、内外に通じる０．１〜０．２ミクロン程度の無数の細孔を有し、木炭に比べても数千倍になる微細で超多孔質な構造を持つため、１７００℃程度の高耐火性に加え、吸湿性（吸水性）、吸着性、脱臭性、保温性、断熱性などの性能を持ち、さらには一度吸湿した水分を再び放出する「呼吸性（調湿性・吸放湿性）」という優れた特性を備えている。
【考案の効果】
【００１８】吸湿・吸臭用無機質平板家庭用具は、バーミキュライトを主成分としてセメント、ケイ酸カルシウム、スラグ石膏の一種以上から選択される基材として、キッチン周り、及び水周り、及び臭い発生周りの部屋、下駄箱において湿気、臭いを充分に吸湿、吸臭でき、その表面が常に乾いた状態を維持して発生する臭い、湿気を取り除き、優れた環境にすることができる。また洋服掛けハンガー、及び靴入れ下敷きの吸湿・吸臭用無機質平板家庭用具において、臭い発生周り部屋が臭いをしないもので、或いはリビングルーム、キッチンルームでの内部の湿気、臭いを容易に取り出し、下駄箱、衣服収納庫にも使用できて、しかもカビ、雑菌などの発生の恐れなく衛生状態を継続しえた。【００１９】また前記の洋服掛けハンガー、及び靴入れ下敷きでの吸湿・吸臭用無機質平板家庭用具は、重量的、強度的にも割れ難く、取り扱いしよい、水分吸収量の点から、しかも製作、加工の取扱いで容易である。また厚さが４〜９ｍｍの範囲の平板であるため、彫り込みの加工もできて、必要的に充分な強度を有して割れ難く、充分な吸湿、吸臭量を確保できる。臭い発生周り吸湿・吸臭用無機質平板家庭用具に可能である。
【図面の簡単な説明】
【００２１】
【図１】吸湿・吸臭用無機質平板家庭用具での斜視図である。Ａ：洋服掛けハンガー  Ｂ：靴入れ下敷き
【図２】吸湿・吸臭用無機質平板家庭用具の使用状態図である。Ａ：洋服掛けハンガー  Ｂ：靴入れ下敷き
【図３】吸湿・吸臭用無機質平板家庭用具の別の特殊形状での斜視図である。Ａ：洋服掛けハンガー  Ｂ：靴入れ下敷き
【考案を実施するための形態】
【００２２】以下、本考案の実施の一形態を、図示例とともに説明する。図１に示すように、吸湿・吸臭ボックス体は、パーミキュライトとケイ酸カルシウムと繊維質材とを含む調湿材を含む無機性高吸水性平板の容積体を収めた吸湿・吸臭用無機質箱状容器の略正方形、又は略長方形の箱体である。
【実施例１】
【００２３】洋服掛けハンガー、に適応した吸臭・吸湿形状体で、厚さ６〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された平板で、長さ２００〜７００ｍｍにおいて、洋服掛けハンガー形状、および靴入れ下敷き形状の平板加工体にして、表面積として、２００〜１８００ｃｍ２にした。【００２４】洋服掛けハンガーに適応した吸臭・吸湿形状体は、厚さ６〜９ｍｍの厚さの平板を、長さ幅３００〜６００ｍｍ、高さ幅５０〜１５０ｍｍにして、中心位置にフック掛け金属線を挿入できる２〜５ｍｍの貫通穴部を設け、吸臭・吸湿性の洋服掛けハンガーの形状にしている平板加工体の表面積を、３００〜１８００ｃｍ２になって、重量として１．５ｋｇ以下にした。これによって、食品の廃棄物を処分しても悪臭が相当減少した。また、湿気も吸収するので、雑菌の繁殖も減少した。
【実施例２】
【００２５】靴入れ下敷きに適応した吸臭・吸湿形状体で、厚さ６〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された平板で、長さ２００〜７００ｍｍにおいて、洋服掛けハンガー形状、および靴入れ下敷き形状の平板加工体にして、表面積として、２００〜１８００ｃｍ２になった。【００２６】靴入れ下敷きに適応した吸臭・吸湿形状体は、厚さ４〜９ｍｍで、数種類の形状にして長さ２００〜２５０ｍｍ、幅５０〜７０ｍｍに入り、靴入れ下敷き形状に表面積として、２００〜３５０ｃｍ２であって、長さ方向の先端に紐を取り付けることができる貫通穴部を設けて、表面の一面或いは両面に装飾的彫り込み模様を設けている。これによって、食品の廃棄物を処分しても悪臭が相当減少した。また、湿気も吸収するので、雑菌の繁殖も減少した。
【実施例３】
【００２３】洋服掛けハンガー、に適応した吸臭・吸湿形状体で、厚さ６〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された平板で、長さ２００〜７００ｍｍにおいて、洋服掛けハンガー形状、および靴入れ下敷き形状の平板加工体にして、表面積として、２００〜１８００ｃｍ２にした。【００２４】洋服掛けハンガーに適応した吸臭・吸湿形状体は、厚さ６〜９ｍｍの厚さの平板を、長さ幅３００〜６００ｍｍ、高さ幅５０〜１５０ｍｍにして、中心位置にフック掛け金属線を挿入できる２〜５ｍｍの貫通穴部を設け、吸臭・吸湿性の洋服掛けハンガーの形状にしている平板加工体の表面積を、３００〜１８００ｃｍ２になって、重量として１．５ｋｇ以下にした。これによって、食品の廃棄物を処分しても悪臭が相当減少した。また、湿気も吸収するので、雑菌の繁殖も減少した。
【実施例４】
【００２５】靴入れ下敷きに適応した吸臭・吸湿形状体で、厚さ６〜９ｍｍの吸湿・吸臭用無機質のパーミキュライトとケイ酸カルシウムと繊維質材とを含む調湿材の吸臭性、並びに吸湿性を高めた無機性である配合量が全組成物で固形分として５〜７０質量％であって、その他石灰質材料と補強繊維を含有しているから製作された平板で、長さ２００〜７００ｍｍにおいて、洋服掛けハンガー形状、および靴入れ下敷き形状の平板加工体にして、表面積として、２００〜１８００ｃｍ２になった。【００２６】靴入れ下敷きに適応した吸臭・吸湿形状体は、厚さ４〜９ｍｍで、数種類の形状にして長さ２００〜２５０ｍｍ、幅５０〜７０ｍｍに入り、靴入れ下敷き形状に表面積として、２００〜３５０ｃｍ２であって、長さ方向の先端に紐を取り付けることができる貫通穴部を設けて、表面の一面或いは両面に装飾的彫り込み模様を設けている。これによって、食品の廃棄物を処分しても悪臭が相当減少した。また、湿気も吸収するので、雑菌の繁殖も減少した。
【符号の説明】
【００３８】１  吸湿・吸臭ボックス体
２  高吸湿・吸臭性平板（商標：モイス板）
３  フック
４  穴部
５  装飾
６  ズボン衣服
７  靴
0003212446.tif 000003
【図１】
0003212446.tif 000004
【図２】
0003212446.tif 000005
【図３】
0003212446.tif 000006
【手続補正書】
【提出日】平成29年6月27日(2017.6.27)
【手続補正１】
【補正対象書類名】実用新案登録請求の範囲
【補正対象項目名】全文
【補正方法】変更
【補正の内容】
【実用新案登録請求の範囲】
【請求項１】
洋服掛けハンガー、及び靴入れ下敷きに適応した吸臭・吸湿形状体において、厚さ４〜９ｍｍの吸湿・吸臭用無機質のパーミキュライトとケイ酸カルシウムと繊維質材とを含む調湿材の吸臭性、並びに吸湿性を高めた無機性である配合量を全組成物で固形分として５〜７０質量％にした材料を使用して、前記形状体の１００〜６００ｍｍ長さの平板を、洋服掛けハンガー形状、および靴入れ下敷き形状の平板加工体に製作されて、５０〜１０００ｃｍ２の表面積にしていることを特徴とする吸湿・吸臭用無機質平板家庭用具。
【請求項２】
洋服掛けハンガーに適応した吸臭・吸湿形状体は、厚さ６〜９ｍｍの厚さの平板を、長さ幅３００〜６００ｍｍ、高さ幅５０〜１５０ｍｍにして、中心位置にフック掛け金属線を挿入できる２〜５ｍｍの穴部を設け、吸臭・吸湿性の洋服掛けハンガーの形状にしている平板加工体の表面積を、１５０〜１０００ｃｍ２になって、重量として１．５ｋｇ以下にしていることを特徴とする請求項１に記載の吸湿・吸臭用無機質平板家庭用具。
【請求項３】
靴入れ下敷きに適応した吸臭・吸湿形状体は、厚さ４〜９ｍｍで、数種類の形状にして長さ１００〜２５０ｍｍ、幅５０〜７０ｍｍに入り、靴入れ下敷き形状に表面積として、５０〜１５０ｃｍ２であって、長さ方向の先端に紐を取り付けることができる貫通穴部を設けて、表面の一面或いは両面に装飾的彫り込み模様を設けていることを特徴とする請求項１に記載の吸湿・吸臭用無機質平板家庭用具。